(57)【特許請求の範囲】
【請求項１】
容器（１）の口部（２）に装着する合成樹脂製の中栓（３）；該中栓（３）に設けられた、前記口部（２）の外周の凹条（４）に圧接係止する突条（５）を有する中筒（６）；該中筒（６）上部に設けられた裂取部（７）を有する上壁（８）；前記上壁（８）上で前記裂取部（７）外側に設けられた注筒（９）及び係合部（１０）；前記中筒６下端に外方に突出して設けられた環状の下受部（１１）；前記中栓（３）上に装着する、前記中栓（３）より高い硬度を有し、かつ水の沸点より高い軟化点の合成樹脂製で、前記中筒（６）外側に圧接する外筒（１２）及び蓋体（１３）から成る外蓋（１４）；前記下受部（１１）の突出上面に当接するようにして収容される前記外筒（１２）の下端部（１５）；該外筒（１２）の上部でかつ内部に設けられた、前記係合部（１０）と圧接係止する係止部（１６）；前記下受部（１１）の一部に、前記下端部（１５）との間に残部（３０）が残存するようにして形成された栓抜きと掛止する下受欠如部（１７）；から成ることを特徴とする容器とこれに用いる耐熱キャップ。
【請求項２】
容器（１）の口部（２）に装着する合成樹脂製の中栓（３）；該中栓（３）に設けられた、前記口部（２）の外周の凹部（４）に圧接係止する突条（５）を有する中筒（６）；該中筒（６）上部に設けられた裂取部（７）を有する上壁（８）；前記上壁（８）上で前記裂取部（７）外側に設けられた注筒（９）及び係合部（１０）；前記中筒（６）の下端に外方に突出して設けられた環状の下受部（１１）；前記中栓（３）上に装着する前記中栓（３）より高い硬度を有し、かつ水の沸点より高い軟化点の合成樹脂製で前記中筒（６）外側に圧接する外筒（１２）及び蓋体（１３）から成る蓋体（１４）；前記下受部（１１）の突出上面に当接するようにして収容される前記外筒（１２）の下端部（１５）；該外筒（１２）の上部でかつ内部に設けられた、前記係合部（１０）と圧接係止する係止部（１６）；前記外筒（１２）の一部に形成された、栓抜き掛止する外筒欠如部（１８）；前記外筒欠如部（１８）形成部に対応する中筒（６）の一部に前記外筒欠如部とほぼ同形同大に形成された栓抜きと掛止する中筒欠如部（１９）；から成ることを特徴とする容器とこれに用いる耐熱キャップ。
【請求項３】
外筒（１２）はその一部に栓抜きと掛止する外筒欠如部（１８）を有する請求項１に記載の容器とこれに用いる耐熱キャップ。
【請求項４】
下受欠如部（１７）、外筒欠如部（１８）、中筒欠如部（１９）のそれぞれに形成された前記欠如部は全体に亘る薄膜部（２０）を有する請求項１、２又は３記載の容器とこれに用いる耐熱キャップ。
【請求項５】
薄膜部（２０）は該薄膜部（２０）を裂切り易くする弱化ライン（２１）を有する請求項４記載の容器とこれに用いる耐熱キャップ。
【請求項６】
下受欠如部（１７）、外筒欠如部（１８）、中筒欠如部（１９）のそれぞれに形成された前記欠如部は盲穴である請求項１、２、３、４又は５記載の容器とこれに用いる耐熱キャップ。
【請求項７】
注筒（９）はその一部又は全部のつけ根部の厚さが０．９ｍｍ以下に形成されている請求項１、２、３、４、５又は６記載の容器とこれに用いる耐熱キャップ。
【請求項８】
注筒（９）は上下方向に複数の弱化線（２２）を有する、請求項１、２、３、４、５、６又は７記載の容器とこれに用いる耐熱キャップ。
【請求項９】
中筒（６）は上下方向に、かつ下部が下受部（１１）に及ぶ複数の弱化部（２３）を有している請求項１、２、３、４、５、６、７又は８記載の容器とこれに用いる耐熱キャップ。
【発明の詳細な説明】
【０００１】
【産業上の利用分野】
この発明は、清酒、ジュース又は麺つゆ等のような醗酵の停止又は殺菌のため等の容器に充填する際に加熱を要する液体の場合に用いられる、容器とこれに用いる耐熱キャップに関するものである。
【０００２】
【従来の技術】
従来上記のように容器に充填する際に、充填後の醗酵の停止又は殺菌等のために加熱を要する液体の場合に用いられる容器とこれに用いるキャップは、通常、図１６に示されるように構成されている。
同図において１は容器であり２はその口部を示す。３は中栓であり合成樹脂により構成され、中筒６、上壁８を有し、該上壁８に裂取部７が形成されている。９は注筒を示す。そして前記中栓３外側に合成樹脂により構成された外蓋１４が装着されている。同外蓋１４は外筒１２、中栓３の係合部１０に対する係止部１６、蓋体１３から成っている。
なお２４は内筒、２５は裂溝、２６は裂取部材を示す。２７はヒンジ、２８は掛合部を示す。又５は容器１の口部２外周に形成された凹条４に圧接係止する突条を示す。１５は外筒１２の下端部、２９は加熱液体を示す。
このように構成されたこの耐熱キャップは前記のように加熱液体２９を収容した容器１の口部２に打栓により装着され、前記突条５が前記凹条４に圧接係止する。そしてこの場合前記中筒６が前記加熱液体２９の熱により弾性が減少し、圧接が弱まり、密閉度の減少するのを、外筒１２の圧接により自動的に圧接を補充し、密閉の減少を実用上差支えない程度に抑制している。
【０００３】
【発明が解決しようとする課題】
しかし上記従来の容器とこれに用いる耐熱キャップは次に述べるような問題を有している。それはこの耐熱キャップを容器１の口部２に打栓すると、その凹条４に中栓３の突条５が圧接係合している。従って、容器をリサイクルのために回収する際に容易に外すことができないのである。特に中筒６の外側には外蓋１４の外筒１２が圧接しているため、突条５の圧接が一層強められており、耐熱性でない通常のキャップと異り、外し取りが特に困難である。
この発明は上記のような問題を解決するためになされたもので、容器１の口部２の凹条４に係合する突条５を有する、かつ中筒６の外側に外筒１２の圧接する形式の、中栓３と外蓋１４から成る耐熱キャップにおいて、容器のリサイクル回収に際してきわめて容易にキャップを外し取ることのできる、容器とこれに用いる耐熱キャップを提供することである。
【０００４】
【課題を解決するための手段】
前記の目的を達成するこの発明について述べるとそれは、容器１の口部２に装着する合成樹脂製の中栓３と、該中栓３に設けられた、前記口部２の外周の凹条４に圧接係止する突条５を有する中筒６と、該中筒６上部に設けられた裂取部７を有する上壁８と、前記上壁８上で前記裂取部７外側に設けられた注筒９及び係合部１０と、前記中筒６下端に外方に突出して設けられた環状の下受部１１と、前記中栓３上に装着する、前記中栓３より高い硬度を有し、かつ水の沸点より高い軟化点の合成樹脂製で、前記中筒６外側に圧接する外筒１２及び蓋体１３から成る外蓋１４と、前記下受部１１の突出上面に当接されるようにして収容される前記外筒１２の下端部１５と、該外筒（１２）の上部でかつ内部に設けられた、前記係合部（１０）と圧接係止する係止部（１６）と、前記下受部１１の一部に、前記下端部１５との間に残部３０が残存するようにして形成された栓抜きと掛止する下受欠如部１７と、から成ることを特徴とする容器とこれに用いる耐熱キャップである。
又、該耐熱キャップにおいて、外筒１２の一部に、栓抜きと掛止する外筒欠如部１８を設けた容器とこれに用いる耐熱キャップである。なおこの場合前記外筒欠如部１８が形成されていて、下受欠如部１７は形成されてなくても差し支えはない。又前記の各耐熱キャップにおいて、前記注筒６は前記注筒６の一部に栓抜きを掛止する中筒欠如部１９を有している前記容器とこれに用いる耐熱キャップである。
【０００５】
【発明の実施の形態】
この発明の実施の形態について述べると次の通りである。
容器１の口部２に装着する合成樹脂製の中栓３と、該中栓３に設けられた、前記口部２の外周の凹条４に圧接係止する突条５を有する中筒６と、該中筒６上部に設けられた裂取部７を有する上壁８と、前記上壁８上で前記裂取部７外側に設けられた注筒９及び係合部１０と、前記中筒６下端に外方に突出して設けられた環状の下受部１１と、前記中栓３上に装着する、前記中栓３より高い硬度を有し、かつ水の沸点より高い軟化点の合成樹脂製で、前記中筒６外側に圧接する外筒１２及び蓋体１３から成る外蓋１４と、前記下受部１１上に収容される前記外筒１２の下端部１５と、該外筒１２上部に設けられた前記係合部９と圧接係止する係止部１６と、前記下受部１１の一部に形成された栓抜きと掛止する欠如部１７と、から成ることを特徴とする容器とこれに用いる耐熱キャップである。
【０００６】
この発明は前記のように構成されたことにより、容器１に加熱液体を収容して耐熱キャップを装着すると、前記加熱液体の熱は前記口部２を伝ってまず前記中筒６にもたらされ、このため前記中筒６は加熱されて変形し、口部２に対する圧接の圧力が減少し、密閉力が低下しそうになる。
この場合前記中筒６の外側に圧接させられていた、水の沸点より高い軟化点の外筒１２の圧力が、前記中筒６の圧接の圧力の減少を補充することができるから、前記中筒６と前記口部２間の密閉力の減少は実用上差支えない程度に抑制することができる。そして容器１のリサイクルの場合には前記下受欠如部１７と、この耐熱キャップの上部との間に栓抜きを掛け、この栓抜きの下部を上方に押し上げて前記口部２から外し取る。この場合栓抜きの下部の係止部は直接に又は至近で間接に、前記中栓３より硬度の高い合成樹脂製の外筒１２を押し上げることになり、このため前記押し上げに対し、押し上げられる部分が変形してしまって押し上げにくいもどかしさがなく、直ちに反力が生じ、力が分散することなく直達するから壮快に抜き取ることができる。
【０００７】
又前記下受欠如部１７は下受部１１に形成され、下受部１１は中筒６より大径に形成されているため、栓抜きはその分前記口部の中心から離れた部分にかけることができ、その分大きいモーメントを得ることができ、小さい力で抜きとることができる。
次に他の実施の形態として、前記耐熱キャップにおいて、外筒１２の一部に栓抜きと掛止する外筒欠如部１８を設けた。なおこの場合前記下受欠如部１７は形成されていても、されていなくてもよい。形成されてない場合は後記の他の方法で抜栓する。
まず下受欠如部１７が形成されている場合について述べると、容器１リサイクルの際まず外筒欠如部１８と、この耐熱キャップの上端に栓抜きを掛け、これを上方に回動させて外し取る。
その次に前記下受欠如部１７に栓抜きを掛けて外し取る。即ちこのように二度に分けて外し取ることにより、家庭における婦女子等のように非力な者にもきわめて容易に外し取ることができる。しかもこの場合前記外筒欠如部１８は中栓３より硬度が高いから栓抜きの力によって部分的に変形せず、直ちに反力が生じるからなかなか抜けないもどかしさがなく、直ちに壮快に外し取ることができる。又前記外筒１２は下受部１１上にあるため外筒欠如部１８も前記口部２の中心から離れた部分にあり、このため抜栓の際のモーメントが大きくなるため、小さい力で容易に外し取ることができる。又中栓３は中栓３のみを前記同様な理由により大きなモーメントで、小さい力で、及び中栓３だけなので口部２に対する圧接の力が小さくなっているため容易に外しとることができる。
なお下受欠如部１７の形成されてないものは後記のように他の外し方により外される。
【０００８】
次に更に他の実施形態として、請求項２の形態の耐熱キャップにおいて、中栓３の中筒６に、その一部に栓抜きを掛止する中筒欠如部１９が形成された。この場合中筒欠如部１９は外筒欠如部１２と同形同大に形成され、容器１リサイクルの際、栓抜きは外筒欠如部１８及び前記中筒欠如部１９の両方に一度に掛止し、その両方に力をかけることができる。そして、前記外筒１２は中筒６に圧接して居り、かつ外筒１２は中筒６より硬度が高く、中筒６より半径方向外方のため大きなモーメントで、かつ硬度が高いため反力が直ちに発生するからなかなか抜けないもどかしさがなく、きわめて容易に外し取ることができる。
【０００９】
次に、更に他の実施の形態としては、前記下受欠如部７、外筒欠如部１８、中筒欠如部１９は、それぞれそれらの全体に亘る薄膜部２０を形成してもよい。そしてこの薄膜部２０はそれを設ける部分の厚み方向のどこに設けてもよい。このように形成することにより、それらの欠如部に、空中の浮遊塵埃の侵入を防止できると共に、それらの各欠如部に栓抜きをかけて、上方に回動する際に、それらの欠如部の栓抜きの掛かる部分のみが部分的に上方に変形させられてしまうことに抵抗し、その部分の変形を防止するように応力が作用するから、その分反力の生じるのが早く、上記変形によりなかなか外せないというもどかしさがなく、直ちに壮快に外しとることができる。
【００１０】
次に更に他の実施の形態としては、前記薄膜部２０には該薄膜部２０を裂切り易くする弱化ライン２１が形成されていてもよい。そしてこの弱化ライン２１は薄膜部２０の縁部に沿って形成される。このためこの耐熱キャップを外す場合、上記弱化ライン２１により、栓抜きを掛ける部分を直ちに理解することができる。又その部分は栓抜きの掛止する部分を単に押しつけるだけできわめて容易に破断して栓抜きをその欠如部にかけることができる。
次に、更に他の実施の形態として、前記下受欠如部７、外筒欠如部１８、中筒欠如部１９はそれぞれ盲穴であってもよい。このように形成されたものは、それらの各欠如部の内部に浮遊塵埃の侵入するのを防止でき、又栓抜きによる外し取りの際に、その栓抜きをかけた部分のみが変形してしまってなかなか抜けないもどかしさを与えることがない。その理由は前記盲穴の各部分が一体的に作用し、上記栓抜きをかけた部分のみが変形してしまうのを防止するように応力が生じるからである。
このため、栓抜きをかけて上方に回動すると直ちに壮快に抜取ることができる。次に更に他の実施の形態としては、前記注筒９はその周方向の一部又は全部のつけ根部分の厚さが０．９ｍｍ以下に形成されている。  現在一般に市販されている同種キャップの注筒９はそのつけ根部の厚さは１．１ｍｍ程度に形成されている。
【００１１】
なお一実施例としては０．８ｍｍに形成された。このように０．９ｍｍ以下に形成することにより、図１５に示すように栓抜きの上部によって注筒９の一部を押し倒すことにより栓抜きを掛けることが容易にでき、外し取ることができる。なお前記従来のもののように、つけ根部の厚さが１．１ｍｍのものは栓抜き等によっては曲げにくいのである。
次に更に他の実施形態として、注筒９は、その上下方向に複数の破断し易い弱化線２２が形成された。このように構成することにより、前記同様栓抜きにより前記複数の弱化線２２の間を押圧することにより、その部分を押し倒し、或いは破断して栓抜きを掛けることができ、外し取ることができる。
次に更に他の実施の形態として前記中筒６には、上下方向に、かつ下部が下受部１１に及ぶ破断し易い複数の弱化部２３が形成された。
この弱化部２３は一例として溝状に形成され、突条５に相当する部分は、その部分も破断し易いように溝が深く形成されている。
【００１２】
前記のように構成さたことにより、外蓋１４を外し取った後、前記中栓３の中筒６を前記弱化部２３により指等により裂切ることにより、該中筒６の前記口部２に対する圧接力を弱めることができるから、その状態で容易に前記口部２から外し取ることができる。
しかも前記のように弱化部２３は下受部１１に達して形成されているので、外方に突出した下受部１１を摘んで力を加えることにより、前記弱化部２３を容易に裂切ることができる。
【００１３】
【実施例】
図１において、１は容器であり、その口部２に合成樹脂、一例としてポリエチレン製の中栓３が装着されている。４は凹条であり、これに中栓２の中筒６の突条５が圧接している。８は上壁であり、内筒２４の内側の上壁８には裂溝２５により裂取部７が形成されている。
２６はプルリング状の裂取部材を示す。９は注筒、１０は後記外蓋１４と係合する係合部である。又１１は注筒６下端に、外方に突出させた下受部である。
次に１４は外蓋であり、前記中栓３を構成する合成樹脂よりも高い硬度を有し、かつ水の沸点より高い軟化点を有する合成樹脂、一例としてポリプロピレンにより形成されている。
そして前記外蓋１４は、前記中筒６の外側に圧接する外筒１２、蓋体１３から成っており、外筒１２の下端部１５は前記下受部１１上に収容されている。又前記外筒１２上部でかつ内部には前記係合部１０と圧接係止する係止部１６が設けられ、係止されている。そして前記下受部１１の一部には栓抜きと掛止する下受欠如部１７が形成されている。なお２７はヒンジ、２８は蓋体１３の一部に形成された蓋係合部、２９は外筒１２上部一部に構成された蓋係止部を示す。
そして前記下受欠如部１７は一例として図２、図３に示すように下方を開放して形成されたが、又一例として図４、（イ）（ロ）（ハ）（ニ）に示すようにも形成された、図４（イ）に示すものは、図３に示すものと異りヒンジ２７と対応しない側に形成されたものであり、図４（ロ）に示すものは下受部１１の一部をその上下方向とも開放して形成したもの、図４（ハ）に示すものは下受部１１の上方のみを開放して形成したもの、図４（ニ）は下受部１１の上下に残部３０を残して形成したものである。
次に他の実施例として図７（イ）（ロ）に示すように前記外筒１２の一部には栓抜きと掛止する外筒欠如部１８が形成された。なおこの場合同図（イ）（ロ）に示すものは共に下受欠如部１７が形成されているが、これは形成されてなくても差支えはない。
【００１４】
又他の実施例として図１０（イ）、（ロ）に示すように、前記中筒６の一部に栓抜きと掛止する中筒欠如部１９が形成された。この中筒欠如部１９は前記外筒欠如部１８と同形同大に形成され、かつこの両者が対応する同一周方向の位置に形成された。これにより栓抜きは両欠如部１９、１８を一度に掛止して抜き取ることができる。なおこれは夫々別の位置に形成して、別々に抜き取るようにしても差し支えない。次に他の実施例として図５（ロ）、図８（ハ）に示すように前記下受欠如部１７、外筒欠如部１８、及び図１０（イ）、（ロ）に示す中筒欠如部１９は夫々薄膜部２０が形成された。
この薄膜部２０は各欠如部１７、１８、１９の夫々の厚さ方向の任意の位置に形成してもよく、栓抜きの掛止部により容易に破断し得る厚さに形成されている。次に他の実施例として図６、図９に示すように前記薄膜部２０に破断を一層容易にする弱化ライン２１が形成された。この弱化ライン２１はミシン目、連続した穴等により形成され、これにより各欠如部１７、１８、１９の位置を容易に知ることができる。なお弱化ライン２１は各欠如部１７、１８、１９の縁部に沿って形成されている。
【００１５】
次に他の実施例として図５の（イ）、（ロ）に示すように下受欠如部１７は盲穴に形成された。そして図示は省略するが、前記外筒欠如部１８、中筒欠如部１９は盲穴に形成された。但し外筒欠如部１８と中筒欠如部１９の両者が周方向位置で貫通するように形成されているものにあっては、外筒欠如部１８は盲穴に形成されない。
これらの盲穴はその内側に塵埃の侵入を防止し、且つ栓抜きの掛止部の挿入深さを一定にすることができる。
【００１６】
次に他の実施例として図１１に示すように前記注筒９は、その一部又は全部のつけ根部の厚さが０．９ｍｍ以下に形成された。そして一例として０．８ｍｍに形成された。通常、従来の同種キャップの注筒のつけ根部の厚さは１．１ｍｍ程度である。このように薄く構成することにより、図１５に示すように栓抜きの上部で前記注筒９の薄く形成された部分を押圧し、屈曲させることにより栓抜きをかけることができる。
又他の実施例として図１２に示すように、前記注筒９に、上下方向に複数の弱化線２２が形成された。このように構成することにより図１５に示すと同様に栓抜きの上部で前記複数の弱化線２２の間を押圧すると、前記弱化線２２間は図１５と同様に内側に曲げられ、これにより栓抜きを掛けることができる。或いは又弱化線２２間は破断されて倒れ、それにより栓抜きを掛けることができる。
又他の実施例として図１３に示すように、前記中筒６に、上下方向に、かつ下部が下受部１１に及ぶ破断し易い複数の弱化部２３が形成された。このように構成されたことにより、この弱化部２３を破断することにより容易に容器１から外し取ることができる。しかも容器１に装着する場合は、中筒６の外側に中栓３より硬度の高い外筒１２が圧接しているため、この弱化部２３が破断するのを防止できる。
【００１７】
この実施例の耐熱キャップは前記のように構成されたことにより容器１に加熱液体を収容しても、それにより密閉性が大きく損なわれるのを防止することができる。しかも容器１回収の際は図１４に示すように前記下受欠如部１７、或いは外筒欠如部１８、或いは中筒欠如部１９等に栓抜きを掛けて、前記耐熱キャップを取り外すことができる。
【００１８】
【発明の効果】
この発明は、前記のように構成されたことにより、容器１に加熱液体を収容して耐熱キャップを装着すると、前記加熱液体の熱は前記口部２を伝ってまず前記中筒６にもたらされ、このため前記中筒６は加熱されて変形し、口部２に対する圧接の圧力が減少し、密閉力が低下しそうになる。この場合前記中筒６の外側に圧接させられていた水の沸点より高い軟化点の外筒１２の圧力が、前記中筒６の圧力の減少を補充することができるから、前記中筒６と前記口部２間の密閉力の減少は実用上差支えない程度に抑制することができる。そして容器１のリサイクルの場合には前記下受欠如部１７と、この耐熱キャップの上部との間に栓抜きを掛け、この栓抜きの下部を上方に押し上げて前記口部２から外し取る。この場合線抜きの下部の係止部は直接に又は至近で間接に、前記中栓３より硬度の高い合成樹脂製の外筒１２を押し上げることになり、このため前記押し上げに対し、押し上げられる部分が変形してしまって押し上げにくいもどかしさがなく、直ちに反力が生じ、力が分散することなく直達するから壮快に抜き取ることができる。又前記下受欠如部１７は下受部１１に形成され、下受部１１は中筒６より大径に形成されているため、栓抜きはその分前記口部の中心から離れた部分にかけることができ、その分大きいモーメントを得ることができ、小さい力で抜きとることができる。
【００１９】
この発明は前記のように構成されたことにより、容器１のリサイクルの際まず外筒欠如部１８と、この耐熱キャップの上端に栓抜きを掛け、これを上方に回動させて外し取る。その次に前記下受欠如部１７に栓抜きを掛けて外し取る。即ちこのように二度に分けて外し取ることにより、家庭における婦女子等のように非力な者にもきわめて容易に外し取ることができる。しかもこの場合前記外筒欠如部１８は中栓３より硬度が高いから、栓抜きの力によって部分的に変形せず直ちに反力が生じるから、なかなか抜けないもどかしさがなく、直ちに壮快に外し取ることができる。又前記外筒１２は下受部１１上にあるため、外筒欠如部１８も前記口部２の中心から離れた部分にあり、このため抜栓の際のモーメントが大きくなるから、小さい力で容易に外し取ることができる。又中栓３は、中栓３のみを前記同様な理由により大きなモーメントで、小さい力で、及び中栓３だけなので口部２に対する圧接の力が小さくなっているため容易に外しとることができる。なお下受欠如部１７の形成されてないものは後記のように他の外し方により外される。
【００２０】
この発明は前記のように構成されたことにより、容器１のリサイクルの際栓抜きは外筒欠如部１８及び前記中筒欠如部１９の両方に一度に掛止し、その両方に力をかけることができる。そして、前記外筒１２は中筒６に圧接して居り、かつ外筒１２は中筒６より硬度が高く、中筒６より半径方向外方のため大きなモーメントを得ることができるため、反力が直ちに発生するからなかなか抜けないもどかしさがなく、きわめて容易に外しとることができる。
この発明は、前記のように構成され前記外筒１２が前記下受部１１上にあって、外筒欠如部１９、下受欠如部１７とも中筒６より半径方向外方となるため、それぞれ栓抜きにより抜き取る際に、大きなモ−メントを得ることができ、かつ二度に分けて力を加えることができるため、きわめて容易に外し取ることができる。
【００２１】
この発明は、前記のように構成されたことにより、各欠如部１７、１８、１９に空中の浮遊塵埃の侵入を防止できると共に、薄膜部２０が各欠如部１７、１８、１９の外面と同一面に形成されているものにあっては、外見上通常の耐熱キャップと変らない部分を、栓抜きの掛止部で破断することにより栓抜きを掛止できる各欠如部１７、１８、１９に変化させることができる。又薄膜部２０が各欠如部１７、１８、１９の内面と同一面に形成されているものは、それらの各欠如部に栓抜きをかけて、上方に回動する際に、それらの欠如部の栓抜きの掛かる部分のみが上方に変形させられてしまうことに抵抗し、その部分の部分的変形を防止するように応力が作用するから、その分反力の生じるのが早く、上記変形によりなかなか外せないもどかしさがなく、壮快に外し取ることができる。
この発明は前記のように構成されることにより、この耐熱キャップを外す場合、上記弱化ライン２１により、栓抜きを掛ける部分を直ちに理解することができる。又その部分は栓抜きの掛止する部分を単に押しつけるだけできわめて容易に破断して栓抜きをその欠如部にかけることができる。
【００２２】
この発明は前記のように構成されたことにより、欠如部の内部に浮遊塵埃の侵入するのを防止でき、又栓抜きによる外し取りの際に、その栓抜きをかけた部分のみが部分的に変形してしまってなかなか抜けないもどかしさを与えることがない。その理由は前記盲穴の各部分が一体的に作用し、上記栓抜きをかけた部分のみが変形してしまうのを防止するように応力が生じるからである。このため、栓抜きをかけて上方に回動すると直ちに壮快に抜取ることができる。
【００２３】
この発明は、前記のように構成されたことにより、図１５に示すように栓抜きの上部により中筒９の一部を押し倒すことにより、栓抜きを掛けることが容易にでき、外し取ることができる。
この発明は、前記のように構成されたことにより、栓抜きで複数の弱化線２２の間を押圧することにより、その部分を押し倒し、又は破断し、それによって栓抜きを掛けることができ、外し取ることができる。
この発明は前記のように構成されたことにより、外蓋１４を外し取った後、前記中線３の中筒６を、前記弱化部２３により指等により裂切ることにより、該中筒６の前記口部２に対する圧接力を弱めることができるから、その状態で容易に前記口部２から外し取ることができる。しかも前記のように弱化部２３は下受部１１に達して形成されているので、外方に突出した下受部１１を摘みとして利用することができ、下受部１１を摘んで力を加えることにより、前記弱化部２３を容易に裂切ることできる。
【図面の簡単な説明】
【図１】この発明の実施例を示し、容器とこれに用いる耐熱キャップの断面図である。
【図２】図１に示す耐熱キャップの下面図である。
【図３】図１に示す容器とこれに用いる耐熱キャップの側面図である。
【図４】この発明の他の実施例を示し、耐熱キャップに形成された下受欠如部の種々の形態を示す図である。
【図５】同じく更に他の実施例を示し、耐熱キャップの部分の断面図である。
【図６】同じく更に他の実施例を示し、耐熱キャップの側面図である。
【図７】同じく更に他の実施例を示し、耐熱キャップの各側面図である。
【図８】同じく更に他の実施例を示し、耐熱キャップの部分の断面図である。
【図９】同じく更に他の実施例を示し、耐熱キャップの部分の側面図である。
【図１０】同じく更に他の実施例を示し、耐熱キャップの、中栓の側面図である。
【図１１】同じく更に他の実施例を示し、耐熱キャップの、中栓の部分断面図である。
【図１２】同じく更に他の実施例を示し、耐熱キャップの、中栓の側面図である。
【図１３】同じく更に他の実施例を示し、耐熱キャップの、中栓の斜視図である。
【図１４】図１に示す容器とこれに用いる耐熱キャップの取外しの場合の断面図である。
【図１５】この発明の更に他の実施例を示し、中栓を外す場合の一部断面図である。
【図１６】従来の、容器とこれに用いる耐熱キャップの断面図である。
【符号の説明】
１        容器
２        口部
３        中栓
４        凹条
５        突条
６        中筒
７        裂取部
８        上壁
９        注筒
１０        係合部
１１        下受部
１２        外筒
１３        蓋体
１４        外蓋
１５        下端部
１６        係止部
１７        下受欠如部
１８        外筒欠如部
１９        中筒欠如部
２０        薄膜部
２１        弱化ライン
２２        弱化線
２３        弱化部
【図１】
0004189775.tif 000002
【図２】
0004189775.tif 000003
【図３】
0004189775.tif 000004
【図４】
0004189775.tif 000005
【図５】
0004189775.tif 000006
【図６】
0004189775.tif 000007
【図７】
0004189775.tif 000008
【図８】
0004189775.tif 000009
【図９】
0004189775.tif 000010
【図１０】
0004189775.tif 000011
【図１１】
0004189775.tif 000012
【図１２】
0004189775.tif 000013
【図１３】
0004189775.tif 000014
【図１４】
0004189775.tif 000015
【図１５】
0004189775.tif 000016
【図１６】
0004189775.tif 000017